(57)【要約】      （修正有）【課題】所定の条件で撮影を実行した場合に、所定の撮影モードで撮影を実行することができる撮像装置を提供する。【解決手段】撮影者が光軸を水平として横長の画像を撮影する場合のカメラボディの位置である正位置において撮影者から見てカメラボディの左右方向の一方側に設けられる第１操作部４と、カメラボディの左右方向の他方側に設けられる第２操作部５と、カメラボディの一方側又はカメラボディの他方側を登録可能な登録部２１と、登録部２１に登録されるカメラボディの一方側又は他方側とは異なる側に設けられる第１操作部４又は第２操作部５が操作された場合に、第１撮影モードによる撮影動作を実行する制御部１０と、を備える。【選択図】図２
2013125238.tif 000002
【特許請求の範囲】
【請求項１】
撮影者が光軸を水平として横長の画像を撮影する場合のカメラボディの位置である正位置において撮影者から見て前記カメラボディの左右方向の一方側に設けられる第１操作部と、
前記カメラボディの前記左右方向の他方側に設けられる第２操作部と、
前記一方側又は前記他方側を登録可能な登録部と、
前記登録部に登録される前記一方側又は前記他方側とは異なる側に設けられる前記第１操作部又は前記第２操作部が操作された場合に、第１撮影モードによる撮影動作を実行し、前記登録部に登録される前記一方側又は前記他方側と同じ側に設けられる前記第１操作部又は前記第２操作部が操作された場合に、第２撮影モードによる撮影動作を実行する制御部と、を備えること、
を特徴とする撮像装置。
【請求項２】
請求項１に記載の撮像装置であって、
前記カメラボディの前記左右方向の前記一方側に設けられ、前記第１操作部が操作されるときに物体の接触を検知する第１接触検知部と、
前記カメラボディの前記左右方向の前記他方側に設けられ、前記第２操作部が操作されるときに物体の接触を検知する第２接触検知部と、を更に備え、
前記制御部は、前記登録部に登録される前記一方側又は前記他方側とは異なる側に設けられる前記第１接触検知部のみ又は前記第２接触検知部のみが物体の接触を検知した状態で、前記登録部に登録される前記一方側又は前記他方側とは異なる側に設けられる前記第１操作部又は前記第２操作部が操作された場合に、第１撮影モードによる撮影動作を実行し、前記登録部に登録される前記一方側又は前記他方側と同じ側に設けられる前記第１接触検知部又は前記第２接触検知部が物体の接触を検知した状態で、前記第１操作部又は前記第２操作部が操作された場合に、第２撮影モードによる撮影動作を実行すること、
を特徴とする撮像装置。
【請求項３】
請求項１又は２に記載の撮像装置であって、
前記第１撮影モードは、マクロ撮影モードであり、
前記第２撮影モードは、通常撮影モードであること、
を特徴とする撮像装置。
【発明の詳細な説明】
【技術分野】
【０００１】
本発明は、撮像装置に関する。
【背景技術】
【０００２】
従来、レリーズボタンがカメラボディの左右両側それぞれに設けられるカメラ等の撮像装置が知られている（例えば、特許文献１参照）。特許文献１に記載の撮像装置は、２つのレリーズボタンを設けることで、利き手側のレリーズボタンを操作することにより、簡単に撮影動作を実行することができる。
【０００３】
また、カメラ等の撮像装置として、複数の撮影モードを有するものがある。２つのレリーズボタンが設けられる撮像装置において、操作されるレリーズボタンよって異なる撮影モードで撮影を実行することができれば便利である。
【先行技術文献】
【特許文献】
【０００４】
【特許文献１】特開２００４−７８０８０号公報
【発明の概要】
【発明が解決しようとする課題】
【０００５】
しかし、特許文献１に記載のカメラにおいては、操作されるレリーズボタンによって撮影モードを異ならせることについては、記載されていない。また、撮影者が利き手を考慮した所定の条件で、所定の撮影モードで撮影を実行することができれば、撮影モードによる撮影を有効に活用することができる。
【０００６】
本発明は、所定の条件で撮影を実行した場合に、所定の撮影モードで撮影を実行することができる撮像装置を提供することを目的とする。
【課題を解決するための手段】
【０００７】
本発明は、以下のような解決手段により前記課題を解決する。なお、理解を容易にするために、本発明の実施形態に対応する符号を付して説明するが、これに限定されるものではない。
【０００８】
請求項１に記載の発明は、撮影者が光軸を水平として横長の画像を撮影する場合のカメラボディ（２）の位置である正位置において撮影者から見て前記カメラボディ（２）の左右方向の一方側に設けられる第１操作部（４）と、前記カメラボディ（２）の前記左右方向の他方側に設けられる第２操作部（５）と、前記一方側又は前記他方側を登録可能な登録部（２１）と、前記登録部（２１）に登録される前記一方側又は前記他方側とは異なる側に設けられる前記第１操作部（４）又は前記第２操作部（５）が操作された場合に、第１撮影モードによる撮影動作を実行し、前記登録部（２１）に登録される前記一方側又は前記他方側と同じ側に設けられる前記第１操作部（４）又は前記第２操作部（５）が操作された場合に、第２撮影モードによる撮影動作を実行する制御部（１０）と、を備えること、を特徴とする撮像装置（１）である。
請求項２に記載の発明は、請求項１に記載の撮像装置（１）であって、前記カメラボディ（２）の前記左右方向の前記一方側に設けられ、前記第１操作部（４）が操作されるときに物体の接触を検知する第１接触検知部（６）と、前記カメラボディ（２）の前記左右方向の前記他方側に設けられ、前記第２操作部（５）が操作されるときに物体の接触を検知する第２接触検知部（７）と、を更に備え、前記制御部（１０）は、前記登録部（２１）に登録される前記一方側又は前記他方側とは異なる側に設けられる前記第１接触検知部（６）のみ又は前記第２接触検知部（７）のみが物体の接触を検知した状態で、前記登録部（２１）に登録される前記一方側又は前記他方側とは異なる側に設けられる前記第１操作部（４）又は前記第２操作部（５）が操作された場合に、第１撮影モードによる撮影動作を実行し、前記登録部（２１）に登録される前記一方側又は前記他方側と同じ側に設けられる前記第１接触検知部（６）又は前記第２接触検知部（７）が物体の接触を検知した状態で、前記第１操作部（４）又は前記第２操作部（５）が操作された場合に、第２撮影モードによる撮影動作を実行すること、を特徴とする撮像装置（１）である。
請求項３に記載の発明は、請求項１又は２に記載の撮像装置（１）であって、前記第１撮影モードは、マクロ撮影モードであり、前記第２撮影モードは、通常撮影モードであること、を特徴とする撮像装置（１）である。
なお、符号を付して説明した構成は、適宜改良してもよく、また、少なくとも一部を他の構成物に代替してもよい。
【発明の効果】
【０００９】
本発明によれば、所定の条件で撮影を実行した場合に、所定の撮影モードで撮影を実行することができる撮像装置を提供することができる。
【図面の簡単な説明】
【００１０】
【図１】本発明の第１実施形態のカメラを背面側から見た概略斜視図である。
【図２】本発明の第１実施形態のカメラの構成を示すブロック図である。
【図３】本発明の第２実施形態のカメラを背面側から見た概略斜視図である。
【図４】本発明の第２実施形態のカメラの構成を示すブロック図である。
【発明を実施するための形態】
【００１１】
（第１実施形態）
以下、図面等を参照して、本発明の実施形態について説明する。なお、以下に示す各図には、説明と理解を容易にするために、ＸＹＺ直交座標系を設けた。この座標系では、撮影者が光軸を水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１２】
図１は、本発明の第１実施形態のカメラ１を背面側から見た概略斜視図である。
図１に示すように、撮像装置としてのカメラ１は、カメラボディ２と、カメラボディ２の前面に着脱可能に装着されるレンズ鏡筒３とを備えており、レンズ鏡筒３はカメラボディ２に対して交換可能な交換レンズとなっている。
【００１３】
カメラボディ２は、いずれも図示を省略したミラーユニット、シャッタ、撮像部、液晶表示パネル、ファインダ等を有している。図１に示すように、カメラボディ２の上面には、撮影の際に押圧操作される第１レリーズボタン４及び第２レリーズボタン５が配置されている。
【００１４】
第１レリーズボタン４は、カメラボディ２の上面において、カメラボディ２の左右方向の一方側であるＸマイナス方向側の端部側に設けられている。第２レリーズボタン５は、カメラボディ２の上面において、カメラボディ２の左右方向の他方側であるＸプラス方向側の端部側に設けられている。
【００１５】
図２は、本発明の第１実施形態のカメラ１の構成を示すブロック図である。
図２に示すように、カメラ１は、ＣＰＵ１０と、設定ボタン１１と、記憶部２０とを更に備える。ＣＰＵ１０は、後述する記憶部２０に格納されたプログラムを実行することによってカメラ１が行う動作を統括的に制御する。例えば、ＡＦ（オートフォーカス）動作制御、ＡＥ（自動露出）動作制御、オートホワイトバランス制御などを行う。
【００１６】
ＣＰＵ１０は、所定の条件で撮影を実行した場合に、所定の撮影モードで撮影を実行する。
具体的には、ＣＰＵ１０は、後述する登録部２１に登録されるカメラボディ２のＸマイナス方向側又はＸプラス方向側とは異なる側に設けられる第１レリーズボタン４又は第２レリーズボタン５が操作された場合に、マクロ撮影モード（第１撮影モード）による撮影動作を実行する。
また、ＣＰＵ１０は、後述する登録部２１に登録されるカメラボディ２のＸマイナス方向側又はＸプラス方向側と同じ側に設けられる第１レリーズボタン４又は第２レリーズボタン５が操作された場合に、通常撮影モード（第２撮影モード）による撮影動作を実行する。
【００１７】
ＣＰＵ１０が撮影動作を実行することができるカメラ１の撮影モードとしては、通常撮影モード、マクロ撮影モード等がある。通常撮影モードは、人物、風景等を通常時に撮影する際に設定される撮影モードである。マクロ撮影モードは、撮影対象物を接写して撮影する際に設定される撮影モードである。
【００１８】
設定ボタン１１は、モードダイヤル、十字キー、決定ボタンなどであり、各設定に応じた設定信号をＣＰＵ１０へ送出する。設定ボタン１１は、ＣＰＵ１０が実行する撮影モードを設定することができる。
また、設定ボタン１１は、カメラボディ２のＸマイナス方向側又はＸプラス方向側を後述する登録部２１に登録することができる。設定ボタン１１により設定されたカメラボディ２のＸマイナス方向側又はＸプラス方向側の情報は、ＣＰＵ１０を介して登録部２１に送信されて、登録部２１に登録される。
【００１９】
記憶部２０は、画像処理した一連の画像データを記憶する。また、記憶部２０は、撮影者が設定ボタン１１を介して入力した設定情報などが記憶されるほか、カメラ１の動作や制御に必要なプログラム、このプログラムの実行に必要な設定値などが記憶される。
記憶部２０は、登録部２１を有する。登録部２１は、カメラボディ２のＸマイナス方向側又はＸプラス方向側を登録可能である。登録部２１へのカメラボディ２のＸマイナス方向側又はＸプラス方向側の登録は、設定ボタン１１により行われる。
【００２０】
次に、第１実施形態のカメラ１の動作を説明する。
ここでは、右利きの撮影者が、撮影者の利き手側となるカメラボディ２のＸマイナス方向側を登録部２１に予め登録して、撮影動作を実行する場合について説明する。
【００２１】
まず、撮影者が設定ボタン１１により、カメラボディ２のＸプラス方向側又はＸマイナス方向側を選択して、Ｘプラス方向側又はＸマイナス方向側を登録部２１に登録する。例えば、右利きの撮影者は、カメラボディ２のＸマイナス方向側（撮影者から見て右側）を登録する。設定ボタン１１によりＸマイナス方向側が設定されることで、登録部２１は、カメラボディ２のＸマイナス方向側を登録する。
【００２２】
カメラボディ２のＸマイナス方向側には、第１レリーズボタン４が設けられている。そのため、本実施形態においては、第１レリーズボタン４の位置は、カメラボディ２のＸマイナス側であり、撮影者が撮影する際の利き手側と一致する。
【００２３】
本実施形態においては、ＣＰＵ１０は、登録部２１に登録されたＸマイナス側とは異なる側に設けられる第２レリーズボタン５が押下された場合には、マクロ撮影モードで撮影動作を実行する。例えば、撮影者が利き手で箸を用いて料理等を持ち上げた状態で、その持ち上げた料理等を一人で撮影したい場合がある。この場合には、利き手で箸を用いて料理等を持ち上げた状態で、利き手とは反対側のＸプラス方向側に設けられる第２レリーズボタン５を押下する。これにより、撮影者は、利き手で持ち上げた料理等を、利き手とは反対側の手の操作でマクロ撮影モードにより撮影することができる。
【００２４】
また、ＣＰＵ１０は、登録部２１に登録されたＸマイナス側と同じ側に設けられる第１レリーズボタン４が押下された場合には、通常撮影モードで撮影動作を実行する。そのため、撮影者は、利き手で第１レリーズボタン４を押下することで、通常撮影モードにより撮影することができる。
【００２５】
以上、第１実施形態によると、以下の効果が奏される。
（１）登録部２１に登録された側とは異なる側又は同じ側に設けられる第１レリーズボタン４又は第２レリーズボタン５を押下することで、所定の撮影モードで撮影することができる。
（２）登録部２１に登録された側とは異なる側に設けられる第１レリーズボタン４又は第２レリーズボタン５が押下されることで、例えばマクロ撮影モードなどの第１撮影モードでの撮影を行うことができる。例えば、登録部２１に登録された側の手で撮像対象物を触った状態で、登録部２１に登録された側とは異なる側の手でレリーズボタンを押下して、その撮影対象物をマクロ撮影モードにより撮影することができる。
（３）登録部２１に登録された側と同じ側に設けられる第１レリーズボタン４又は第２レリーズボタン５が押下されることで、例えば通常撮影モードなどの第２撮影モードでの撮影を行うことができる。
【００２６】
（第２実施形態）
次に、本発明の第２実施形態について、図面を参照しながら説明する。なお、第２実施形態の説明にあたって、第１実施形態と同一の構成要件については同一の符号を付し、その説明を省略又は簡略化する。図３は、本発明の第２実施形態のカメラ１Ａを背面側から見た概略斜視図である。図４は、本発明の第２実施形態のカメラ１Ａの構成を示すブロック図である。
第２実施形態のカメラ１Ａは、第１接触検知部６と、第２接触検知部７とを備えている点、及びＣＰＵ１０の制御方法の点において、第１実施形態のカメラ１と主に異なる。第２実施形態のカメラ１Ａにおいては、第１実施形態と同一の構成についての説明を省略する。
【００２７】
第２実施形態のカメラ１Ａは、図１に示す第１実施形態のカメラ１の構成のほかに、図３に示すように、第１接触検知部６と、第２接触検知部７とを備える。
第１接触検知部６は、カメラボディ２の背面において、カメラボディ２の左右方向の一方側であるＸマイナス方向側の端部側に設けられている。第１接触検知部６は、第１レリーズボタン４と同様に、カメラボディ２のＸマイナス方向側に設けられている。第１接触検知部６は、第１レリーズボタン４が撮影者により操作されるときに、撮影者により把持される。これにより、第１接触検知部６は、第１レリーズボタン４が操作されるときに撮影者の手（物体）の接触を検知する。
【００２８】
第２接触検知部７は、カメラボディ２の背面において、カメラボディ２の左右方向の他方側であるＸプラス方向側の端部側に設けられている。第２接触検知部７は、第２レリーズボタン５と同様に、カメラボディ２のＸプラス方向側に設けられている。第２接触検知部７は、第２レリーズボタン５が撮影者により操作されるときに、撮影者により把持される。これにより、第２接触検知部７は、第２レリーズボタン５が操作されるときに撮影者の手（物体）の接触を検知する。
【００２９】
図４に示すように、カメラ１Ａは、ＣＰＵ１０と、設定ボタン１１と、記憶部２０とを更に備える。
ＣＰＵ１０は、前述の第１実施形態と同様に、所定の条件で撮影を実行した場合に、所定の撮影モードで撮影を実行することができる。
【００３０】
ＣＰＵ１０は、登録部２１に登録されるカメラボディ２のＸマイナス方向側又はＸプラス方向側とは異なる側に設けられる第１接触検知部６のみ又は第２接触検知部７のみが撮影者の手の接触を検知した状態で、登録部２１に登録されるカメラボディ２のＸマイナス方向側又はＸプラス方向側とは異なる側に設けられる第１レリーズボタン４又は第２レリーズボタン５が操作された場合に、マクロ撮影モード（第１撮影モード）による撮影動作を実行する。
【００３１】
ここで、「第１接触検知部６のみが撮影者の手の接触を検知した状態」とは、第１接触検知部６が撮影者の手の接触を検知し、かつ、第２接触検知部７が撮影者の手の接触を検知していない状態を意味する。つまり、撮影者が右手で第１接触検知部６を触り、かつ、第２接触検知部７には接触していない状態である。同様に、「第２接触検知部７のみが撮影者の手の接触を検知した状態」とは、第２接触検知部７が撮影者の手の接触を検知し、かつ、第１接触検知部６が撮影者の手の接触を検知していない状態を意味する。つまり、撮影者が左手で第２接触検知部７を触り、かつ、第１接触検知部６には接触していない状態である。
【００３２】
また、ＣＰＵ１０は、登録部２１に登録されるカメラボディ２のＸマイナス方向側又はＸプラス方向側と同じ側に設けられる第１接触検知部６又は第２接触検知部７が撮影者の手の接触を検知した状態で、第１レリーズボタン４又は第２レリーズボタン５が操作された場合に、通常撮影モード（第２撮影モード）による撮影動作を実行する。
つまり、登録部２１に登録される側と同じ側に設けられる第１接触検知部６又は第２接触検知部７が撮影者の手の接触を検知した状態においては、第１レリーズボタン４又は第２レリーズボタン５のいずれが操作された場合においても、通常撮影モード（第２撮影モード）による撮影動作が実行される。
これは、登録部２１に登録される側と同じ側に設けられる第１接触検知部６又は第２接触検知部７に撮影者の利き手が接触している状態や、第１接触検知部６及び第２接触検知部７の両方に撮影者の手が接触している状態においては、撮影者は、利き手の操作により、通常撮影モードによる撮影を実行したいと考える場合が多いためである。
【００３３】
次に、第２実施形態のカメラ１Ａの動作を説明する。
ここでは、第１実施形態と同様に、右利きの撮影者が、撮影者の利き手側であるカメラボディ２のＸマイナス方向側を登録部２１に予め登録して、撮影動作を実行する場合について説明する。
【００３４】
まず、前述の第１実施形態と同様に、撮影者が設定ボタン１１により、カメラボディ２のＸプラス方向側又はＸマイナス方向側を選択して、Ｘプラス方向側又はＸマイナス方向側を登録部２１に登録する。例えば、右利きの撮影者は、カメラボディ２のＸマイナス方向側（撮影者から見て右側）を登録する。設定ボタン１１によりＸマイナス方向側が設定されることで、登録部２１は、カメラボディ２のＸマイナス方向側を登録する。
【００３５】
カメラボディ２のＸマイナス方向側には、第１接触検知部６と第１レリーズボタン４とが設けられている。そのため、本実施形態においては、第１接触検知部６及び第１レリーズボタン４の位置は、カメラボディ２のＸマイナス方向側であり、撮影者が撮影する際の利き手側と一致する。
【００３６】
本実施形態においては、ＣＰＵ１０は、登録部２１に登録されたＸマイナス方向側とは異なる側に設けられる第２接触検知部７のみが撮影者の手の接触を検知した状態で、登録部２１に登録されるＸマイナス方向側とは異なる側に設けられる第２レリーズボタン５が押下された場合に、マクロ撮影モード（第１撮影モード）による撮影動作を実行する。具体的には、撮影者が利き手とは反対側の左手で第２接触検知部７を触り、且つ、第１接触検知部６には接触していない状態で、撮影者が第２レリーズボタン５を押下することで、マクロ撮影モード（第１撮影モード）による撮影動作が実行される。これにより、撮影者は、例えば第１実施形態と同様に、利き手で持ち上げた料理等を、利き手とは反対側の手の操作でマクロ撮影モードにより撮影することができる。
なお、登録部２１に登録された側に設けられる第１接触検知部６に撮影者の手を接触させた状態で、登録部２１に登録された側とは反対側の第２レリーズボタン５が押下されると、マクロ撮影モードではなく、通常撮影モード（第２撮影モード）による撮影が実行される。
【００３７】
また、ＣＰＵ１０は、登録部２１に登録されたＸマイナス方向側と同じ側に設けられる第１接触検知部６が撮影者の手の接触を検知した状態で、第１レリーズボタン４又は第２レリーズボタン５が押下された場合に、通常撮影モード（第２撮影モード）による撮影動作を実行する。そのため、撮影者は、第１接触検知部６が撮影者の利き手の接触を検知した状態で、第１レリーズボタン４又は第２レリーズボタン５を押下することで、通常撮影モード（第２撮影モード）により撮影することができる。
なお、第１接触検知部６及び第２接触検知部７の両方に撮影者の手を接触させた状態で、第１レリーズボタン４又は第２レリーズボタン５が押下されると、通常撮影モード（第２撮影モード）による撮影動作が実行される。
【００３８】
以上、第２実施形態によると、第１実施形態と同様の効果のほか、次のような効果が奏される。
（１）第２実施形態においては、第１接触検知部６及び第２接触検知部７を設けた。そのため、登録部２１に登録された側とは異なる側に設けられる第１接触検知部６のみ又は第２接触検知部７のみが撮影者の手の接触を検知した状態で、登録部２１に登録された側とは異なる側に設けられる第１レリーズボタン４又は第２レリーズボタン５が押下されることで、例えばマクロ撮影モードなどの第１撮影モードでの撮影を行うことができる。
（２）また、登録部２１に登録された側と同じ側に設けられる第１接触検知部６又は第２接触検知部７が撮影者の手の接触を検知した状態で、第１レリーズボタン４又は第２レリーズボタン５が押下されることで、例えば通常撮影モードなどの第２撮影モードでの撮影を行うことができる。
【００３９】
（変形形態）
以上、説明した実施形態に限定されることなく、以下に示すような種々の変形や変更が可能であり、それらも本発明の範囲内である。
【００４０】
（１）前述の実施形態においては、右利きの撮影者がカメラボディ２のＸマイナス側（撮影者から見て右側）を登録部２１に登録する場合を例に説明したが、これに制限されず、左利きの撮影者がカメラボディ２のＸプラス側（撮影者から見て左側）を登録部２１に登録してもよい。
（２）前述の実施形態においては、カメラ１の撮影モードとして、通常撮影モード、マクロ撮影モードを例に説明したが、これに制限されない。例えば、カメラ１の撮影モードとしては、風景撮影モードやスポーツ撮影モードや連続撮影モードなどとしてもよく、動画画像を撮影可能なカメラの場合には、カメラ１の撮影モードを、静止画撮影モード、動画撮影モードとしてもよい。
【００４１】
なお、実施形態及び変形形態は、適宜組み合わせて用いることもできるが、詳細な説明は省略する。また、本発明は以上説明した実施形態によって限定されることはない。
【符号の説明】
【００４２】
１：カメラ、４：第１レリーズボタン、５：第２レリーズボタン、６：第１接触検知部、７：第２接触検知部、１０：ＣＰＵ、２１：登録部
【図１】
2013125238.tif 000003
【図２】
2013125238.tif 000004
【図３】
2013125238.tif 000005
【図４】
2013125238.tif 000006